(57)【特許請求の範囲】
【請求項１】
表面フィルムと裏面フィルムとの間にチャックが取り付けられ、チャックの一方側が切断されることで開封されるチャック付包装袋であって、
前記一方側の表面フィルム及び裏面フィルムに異なる形状の切り取り線が形成され、これら切り取り線の端にノッチが設けられ、
少なくとも、表面フィルム、又は、裏面フィルムのいずれか一方の切り取り線は、少なくとも隆起部を１つ以上有し、隆起部が隆起を開始する箇所で、隆起部と水平部とに分離され、隆起部が水平部よりも下に位置している切り取り線が形成されていることを特徴とするチャック付包装袋。
【請求項２】
表面フィルムと裏面フィルムとの間にチャックが取り付けられ、チャックの一方側が切断されることで開封されるチャック付包装袋であって、
前記一方側の、表面フィルム、又は、裏面フィルムのいずれか一方のみに、少なくとも隆起部を１つ以上有し、隆起部が隆起を開始する箇所で、隆起部と水平部とに分離され、隆起部が水平部よりも下に位置している切り取り線が形成され、切り取り線の端にノッチが設けられ、表面フィルム、又は、裏面フィルムの他方には、切り取り線が一切形成されていないことを特徴とするチャック付包装袋。
【発明の詳細な説明】
【技術分野】
【０００１】
本発明は、チャック付包装袋に関する。
【背景技術】
【０００２】
従来から、表面フィルムと裏面フィルムとの間にチャックが取り付けられ、チャックの一方側にノッチが設けられたチャック付包装袋であって、ノッチから、表面フィルムと裏面フィルムとを切断して、チャックの一方側を取り除くことで開封し、チャックで再封するものが知られている。
【０００３】
例えば、図４に示すように、少なくともフィルム基材層にシーラント層が積層され、このシーラント層を最内面とするフィルムを二枚用意し、一方のフィルムを表面フィルム（１）とし、他方のフィルムを裏面フィルム（２）とし、表面フィルム（１）、裏面フィルム（２）、それぞれのシーラント層同士を対向させ重ね合わせたものの上端縁部近傍の表面フィルム（１）と裏面フィルム（２）との間にチャック（１０）を挿入しヒートシールにより取り付け、上端縁部をヒートシールして上部シール部（３）を形成し、左右端縁部をヒートシールして側部シール部（４，４）を形成し、チャック（１０）の上部シール部（３）側の側部シール部（４，４）にノッチ（８，８）を設け、下端縁部から内容物を収納した後に、下端縁部をヒートシールして下部シール部（５）を形成したチャック付包装袋が知られている。
【０００４】
図４に示すチャック付包装袋は、２つのノッチ（８，８）のいずれか一方のノッチ（８）から、表面フィルム（１）と裏面フィルム（２）とを切断して、チャック（１０）の上部シール部（３）側を取り除くことで開封し、チャック（１０）で再封するものである。
【０００５】
また、従来から、図５に示すように、表面フィルム（１）及び裏面フィルム（２）に、水平に直線状に伸びて２つのノッチ（８，８）を結ぶハーフカットからなる切り取り線（６，９）をレーザーで形成して、２つのノッチ（８，８）のいずれか一方のノッチ（８）からの表面フィルム（１）と裏面フィルム（２）との切断が、切り取り線（６，９）に沿って起こるようにしたチャック付包装袋も知られている。
【０００６】
図４又は図５に示すチャック付包装袋は、２つのノッチ（８，８）のいずれか一方のノッチ（８）から、表面フィルム（１）と裏面フィルム（２）とを切断して開封したとき、表面フィルム（１）及び裏面フィルム（２）の切断された箇所の形状は略同一の直線状であるために、チャック（１０）で再封した後、表面フィルム（１）、裏面フィルム（２）、それぞれの切断された箇所を、左右の手の指で摘み難いことがあり、それゆえ、再開封が困難になることがあるという欠点を有する。
【０００７】
この欠点を解消するために、レーザーで形成され、２つのノッチ（８，８）を結ぶハーフカットからなる切り取り線を、表面フィルム（１）と裏面フィルム（２）とで異なるものとすることで、開封してできた表面フィルム（１）及び裏面フィルム（２）の切断された箇所の形状を、表面フィルム（１）と裏面フィルム（２）とで異なるものとし、チャック（１０）で再封した後、表面フィルム（１）、裏面フィルム（２）、それぞれの切断された箇所の近傍を、左右の手の指で摘み易くすることが行われている。
【０００８】
例えば、特許文献１には、図６に示すように、２つのノッチ（８，８）を結ぶハーフカットからなる切り取り線を、表面フィルム（１）では、２つのノッチ（８，８）から水平伸びる水平部（６ａ，６ｃ）と、水平部（６ａ，６ｃ）から連続して上部シール部（３）側に隆起する隆起部（６ｂ）とからなる切り取り線（６）とし、裏面フィルム（２）では、２つのノッチ（８，８）から水平に直線状に伸びる水平部（９ａ，９ｃ）と、水平部（９ａ，９ｃ）から連続して上部シール部（３）へ隆起する隆起部（９ｂ）とからなる切り取り線（９）とし、隆起部（９ｂ）と隆起部（９ｂ）とは、２つのノッチ（８，８）の間で、位置がずれているものが記載されている。
【０００９】
図６に示すチャック付包装袋は、２つのノッチ（８，８）のいずれか一方のノッチ（８）から、表面フィルム（１）と裏面フィルム（２）とを切断して開封すると、表面フィルム（１）の切り取り線（６）の隆起部（６ｂ）と、裏面フィルム（２）の切り取り線（９）の隆起部（９ｂ）とは、位置がずれているので、チャック（１０）で再封した後、表面フィルム（１）の隆起部（６ｂ）に沿って切断された箇所、裏面フィルム（２）の隆起部（９ｂ）に沿って切断された箇所、それぞれは、左右の手の指で摘み易く、再開封が容易になるというものである。
【００１０】
しかしながら、図６に示すチャック付包装袋は、２つのノッチ（８，８）のいずれか一方のノッチ（８）から、表面フィルム（１）及び裏面フィルム（２）の切断を開始して、切断が、表面フィルム（１）の隆起部（６ｂ）が隆起を開始する箇所に達すると、切断が、チャック（１０）の方向に逸れて下降したり、同様に、切断が、裏面フィルム（２）の隆起部（９ｂ）が隆起を開始する箇所に達すると、切断が、チャック（１０）の方向に逸れて下降したりすることがあり、このように切断が下降すると、切断がチャック（１０）に達して止まり、２つのノッチ（８，８）のいずれか一方のノッチ（８）から、表面フィルム（１）と裏面フィルム（２）とを切断して開封することが困難になることがあるという欠点を有している。
【先行技術文献】
【特許文献】
【００１１】
【特許文献１】実用新案登録第３１８０３８０号公報
【発明の概要】
【発明が解決しようとする課題】
【００１２】
本発明は、このような事情を考慮してなされたもので、開封と再開封とが共に容易なチャック付包装袋を提供することを課題とする。
【課題を解決するための手段】
【００１３】
本発明において上記課題を解決するために、まず請求項１の発明では、
表面フィルムと裏面フィルムとの間にチャックが取り付けられ、チャックの一方側が切断されることで開封されるチャック付包装袋であって、
前記一方側の表面フィルム及び裏面フィルムに異なる形状の切り取り線が形成され、これら切り取り線の端にノッチが設けられ、
少なくとも、表面フィルム、又は、裏面フィルムのいずれか一方の切り取り線は、少なくとも隆起部を１つ以上有し、隆起部が隆起を開始する箇所で、隆起部と水平部とに分離され、隆起部が水平部よりも下に位置している切り取り線が形成されていることを特徴とするチャック付包装袋としたものである。
【００１４】
また、請求項２の発明では、
表面フィルムと裏面フィルムとの間にチャックが取り付けられ、チャックの一方側が切断されることで開封されるチャック付包装袋であって、
前記一方側の、少なくとも、表面フィルム、又は、裏面フィルムのいずれか一方のみに、少なくとも隆起部を１つ以上有し、隆起部が隆起を開始する箇所で、隆起部と水平部とに分離され、隆起部が水平部よりも下に位置している切り取り線が形成され、切り取り線の端にノッチが設けられ、他方には、切り取り線が一切形成されていないことを特徴とするチャック付包装袋としたものである。
【発明の効果】
【００１５】
本発明は、ノッチから、切断を開始して、切断が、水平部に沿って、隆起部が隆起を開始する箇所に達したとき、たとえ、切断が、チャックの方向に逸れて下降したとしても、隆起部が隆起を開始する箇所で、隆起部が水平部よりも下に位置しているので、切断が、隆起部に移って隆起部に沿うことになり、開封が容易にできるという効果がある。
【００１６】
また、本発明は、表面フィルムと裏面フィルムとが異なる形状で切断されるので、チャックで再封した後、表面フィルム、裏面フィルム、それぞれの切断された箇所の近傍が、左右の手の指で摘み易く、再開封が容易にできるという効果がある。
【００１７】
従って、本発明は、開封と再開封とが共に容易なチャック付包装袋を提供できるという効果がある。
【図面の簡単な説明】
【００１８】
【図１】本発明のチャック付包装袋の一実施例を説明する図であって、（ａ）は表面側から見た平面図、（ｂ）は裏面側から見た平面図、（ｃ）は（ａ）のＡＡ’拡大断面図。
【図２】本発明のチャック付包装袋の一実施例を開封した状態を説明する斜視図。
【図３】本発明のチャック付包装袋の他の実施例を説明する図であって、（ａ）は表面側から見た平面図、（ｂ）は裏面側から見た平面図、（ｃ）は（ａ）のＡＡ’拡大断面図。
【図４】従来のチャック付包装袋の一例を説明する図。
【図５】従来のチャック付包装袋の一例を説明する図。
【図６】従来のチャック付包装袋の一例を説明する図。
【発明を実施するための形態】
【００１９】
以下に、本発明の一実施形態を説明する。
【００２０】
本発明の実施形態は、例えば、図１に示すように、少なくともフィルム基材層にシーラント層が積層され、このシーラント層を最内面とするフィルムを二枚用意し、一方のフィルムを表面フィルム（１）とし、他方のフィルムを裏面フィルム（２）とし、表面フィルム（１）のシーラント層（１ａ）と、裏面フィルム（２）のシーラント層（２ａ）とを対向させて、表面フィルム（１）と裏面フィルム（２）とを重ね合わせたものの上端縁部近傍の表面フィルム（１）と裏面フィルム（２）との間に、チャック（１０）を、雄テープ本体（１１）を表面フィルム（１）側に、雌テープ本体（１５）を裏面フィルム（２）側にして挿入しヒートシールにより取り付け、上端縁部をヒートシールして上部シール部（３）を形成し、左右端縁部をヒートシールして側部シール部（４，４）を形成し、チャック（１０）の上部シール部（３）側に、表面フィルム（１）にハーフカットからなる切り取り線（６）と、裏面フィルム（２）にハーフカットからなる切り取り線（９）とをレーザーで形成し、切り取り線（６，９）の両端かつ側部シール部（４，４）にノッチ（８，８）を設け、下端縁部から内容物を収納した後に、下端縁部をヒートシールして下部シール部（５）を形成したチャック付包装袋である。
【００２１】
そして、切り取り線（６）は、図１（ａ）に示すように、上部シール部（３）へ隆起する曲線又は折れ線からなる隆起部（６ｂ）と、ノッチ（８，８）から水平に直線状に伸びる水平部（６ａ，６ｃ）とを有し、隆起部（６ｂ）が隆起を開始する箇所で、隆起部（６ｂ）と水平部（６ａ，６ｃ）とに分離され、隆起部（６ｂ）が水平部（６ａ，６ｃ）よりも下に位置している。
【００２２】
そして、隆起部（６ｂ）と水平部（６ａ，６ｃ）との最近接距離が、０．５ｍｍ以上、５．０ｍ以下の範囲にあると、水平部（６ａ，６ｃ）に沿う切断が、隆起部（６ｂ）が隆起を開始する箇所に達したとき、たとえ、切断が、チャック（１０）の方向に逸れて下降したとしても、切断が、水平部（６ａ）よりも下に位置している隆起部（６ｂ）に移り隆起部（６ｂ）に沿うことになって、好ましい。
【００２３】
０．５ｍｍ未満であると、隆起部（６ｂ）と水平部（６ａ，６ｃ）とが連続して形成されている場合と同様に、水平部（６ａ，６ｃ）に沿う切断が、隆起部（６ｂ）が隆起を開始する箇所に達したとき、切断が、チャック（１０）の方向に逸れて下降すると、そのままチャック（１０）に達して、表面フィルム（１）を２つのノッチ（８，８）の間で切断することが困難になる。
【００２４】
５．０ｍｍより大きいと、水平部（６ａ，６ｃ）に沿う切断が、隆起部（６ｂ）に移ることが困難になって、表面フィルム（１）を２つのノッチ（８，８）の間で切断することが困難になる。
【００２５】
また、切り取り線（９）は、図１（ｂ）に示すように、水平に直線状に伸びて２つのノッチ（８，８）を結んでいる。
【００２６】
チャック（１０）は、図１（ｃ）に示すように、表面フィルム（１）のシーラント層（１ａ）にヒートシールされた凸形状の雄型勘合部（１２）を有する雄テープ本体（１１）と、これに対向するようにもう一方の裏面フィルム（２）のシーラント層（２ａ）にヒートシールされた凹形状の雌型勘合部（１６）を有する雌テープ本体（１５）とで構成される。
【００２７】
水平部（６ａ）側のノッチ（８）から、表面フィルム（１）及び裏面フィルム（２）の切断を開始すると、表面フィルム（１）では、切断が、水平部（６ａ）に沿って、隆起部（６ｂ）が隆起を開始する箇所に達したとき、たとえ、切断が、チャック（１０）の方向に逸れて下降したとしても、隆起部（６ｂ）が隆起を開始する箇所で、隆起部（６ｂ）が水平部（６ａ）よりも下に位置し、隆起部（６ｂ）と水平部（６ａ，６ｃ）との最近接距離が、０．５ｍｍ以上、５．０ｍ以下の範囲にあるので、切断が、隆起部（６ｂ）に移って隆起部（６ｂ）に沿うことになり、さらに、水平部（６ｃ）に沿って、水平部（６ｃ）側のノッチ（８）に達し、裏面フィルム（２）では、切断が、切り取り線（９）に沿って、水平部（６ｃ）側のノッチ（８）に達するので、図２に示すように、チャック（１０）の上部シール部（３）側が取り除かれて、開封する。
【００２８】
同様に、水平部（６ｃ）側のノッチ（８）から、表面フィルム（１）及び裏面フィルム（２）の切断を開始すると、表面フィルム（１）では、切断が、水平部（６ｃ）に沿って、隆起部（６ｂ）が隆起を開始する箇所に達したとき、たとえ、切断が、チャック（１０）の方向に逸れて下降したとしても、隆起部（６ｂ）が隆起を開始する箇所で、隆起部（６ｂ）が水平部（６ｃ）よりも下に位置し、隆起部（６ｂ）と水平部（６ａ，６ｃ）との最近接距離が、０．５ｍｍ以上、５．０ｍ以下の範囲にあるので、切断が、隆起部（６ｂ）に移って隆起部（６ｂ）に沿うことになり、さらに、水平部（６ａ）に沿って、水平部（６ａ）側のノッチ（８）に達し、裏面フィルム（２）では、切断が、切り取り線（９）に沿って、水平部（６ａ）側のノッチ（８）に達するので、図２に示すように、チャック（１０）の上部シール部（３）側が取り除かれて、開封する。
【００２９】
尚、裏面フィルム（２）に水平に直線状に伸びて２つのノッチ（８，８）を結んでいる切り取り線（９）を形成する代わりに、裏面フィルム（２）のフィルム基材層（２ｂ）に、２つのノッチ（８，８）を結ぶ直線の方向に、直線引き裂き性を有するフィルムを用い、裏面フィルム（２）に切り取り線を一切形成しなくても、図２に示すように、チャック（１０）の上部シール部（３）側が取り除かれて、開封する。
【００３０】
図２に示すように開封されたチャック付包装袋は、雄テープ本体（１１）の雄型勘合部（１２）と、雌テープ本体（１５）の雌型勘合部（１６）とを対向させ、表面フィルム（１）及び裏面フィルム（２）の外側から押圧して、雄型勘合部（１２）を、雌型勘合部（１６）内に嵌め込むことで、容易に再封できる。
【００３１】
再封されたチャック付包装袋は、表面フィルム（１）の切り取り線（６）の隆起部（６ｂ）に沿って切断された箇所を、一方の手で、親指を内側に、人差し指を外側にして、親指と人差し指とで摘みながら、親指をチャック（１０）の方へ滑らせて、表面フィルム（１）と裏面フィルム（２）との間に入れて、表面フィルム（１）と裏面フィルム（２）との間に隙間を作り、他方の手で、この隙間に親指を入れて、親指と人差し指とで裏面フィルム（２）を摘むことで、一方の手の指で表面フィルム（１）を摘み、他方の手の指で裏面フィルム（２）を摘むことが容易にできる。
【００３２】
そして、一方の手の指で表面フィルム（１）を摘み、他方の手の指で裏面フィルム（２）を摘んで、両側に引き離して、雄型勘合部（１２）を、雌型勘合部（１６）から外すことで、容易に再開封できる。
【００３３】
以上の本発明の実施形態の説明では、本発明のチャック付包装袋は、四方シール袋であるとして説明したが、本発明のチャック付包装袋は、表面フィルムと裏面フィルムとの間にチャックが取り付けられ、チャックの一方側が切断されることで開封される包装袋であればよく、例えば、三方シール袋、スタンディングパウチ、ピロー袋、ガゼット袋でもよい。
【００３４】
また、以上の本発明の実施形態の説明では、チャック（１０）を、雄テープ本体（１１）を表面フィルム（１）側に、雌テープ本体（１５）を裏面フィルム（２）側にして挿入しヒートシールにより取り付けたが、逆に、チャック（１０）を、雄テープ本体（１１）を裏面フィルム（２）側に、雌テープ本体（１５）を表面フィルム（１）側にして挿入しヒートシールにより取り付けてもよい。
【００３５】
また、以上の本発明の実施形態の説明では、表面フィルム（１）に、図１（ａ）に示すように、上部シール部（３）へ隆起する隆起部（６ｂ）と、ノッチ（８，８）から水平に直線状に伸びる水平部（６ａ，６ｃ）とを有し、隆起部（６ｂ）が隆起を開始する箇所で、隆起部（６ｂ）と水平部（６ａ，６ｃ）とに分離され、隆起部（６ｂ）が水平部（６ａ，６ｃ）よりも下に位置する切り取り線（６）を形成し、裏面フィルム（２）に、図１（ｂ）に示すように、水平に直線状に伸びて２つのノッチ（８，８）を結んでいる切り取り線（９）を形成するか、或いは、裏面フィルム（２）のフィルム基材層（２ｂ）に、２つのノッチ（８，８）を結ぶ直線の方向に、直線引き裂き性を有するフィルムを用い、裏面フィルム（２）に切り取り線を一切形成しないとしたが、逆に、表面フィルム（１）に、水平に直線状に伸びて２つのノッチ（８，８）を結んでいる切り取り線を形成するか、或いは、表面フィルム（１）のフィルム基材層（１ｂ）に、２つのノッチ（８，８）を結ぶ直線の方向に、直線引き裂き性を有するフィルムを用い、表面フィルム（１）に切り取り線を一切形成せず、裏面フィルム（２）に、上部シール部（３）へ隆起する隆起部と、ノッチ（８，８）から水平に直線状に伸びる水平部とを有し、隆起部が隆起を開始する箇所で、隆起部と水平部とに分離され、隆起部が水平部よりも下に位置する切り取り線を形成してもよい。
【００３６】
また、表面フィルム及び裏面フィルムの両方に切り取り線を設ける場合は、双方の切り取り線の形状が異なり、少なくとも、表面フィルム、又は、裏面フィルムのいずれか一方の切り取り線は、少なくとも隆起部を１つ以上有し、隆起部が隆起を開始する箇所で、隆起部と水平部とに分離され、隆起部が水平部よりも下に位置していればよく、例えば、図３に示すチャック付包装袋のように、表面フィルム（１）の切り取り線（６）が、図３（ａ）に示すように、上部シール部（３）へ隆起する隆起部（６ｂ）と、ノッチ（８，８）から水平に直線状に伸びる水平部（６ａ，６ｃ）とを有し、隆起部（６ｂ）が隆起を開始する箇所で、隆起部（６ｂ）と水平部（６ａ，６ｃ）とに分離され、隆起部（６ｂ）が水平部（６ａ，６ｃ）よりも下に位置しているだけではなく、裏面フィルム（２）の切り取り線（９）も、図３（ｂ）に示すように、上部シール部（３）へ隆起する隆起部（９ｂ）と、ノッチ（８，８）から水平に直線状に伸びる水平部（９ａ，９ｃ）とを有し、隆起部（９ｂ）が隆起を開始する箇所で、隆起部（９ｂ）と水平部（９ａ，９ｃ）とに分離され、隆起部（９ｂ）が水平部（９ａ，９ｃ）よりも下に位置し、しかも、隆起部（９ｂ）と、隆起部（６ｂ）とは、２つのノッチ（８，８）の間で、位置がずれていてもよい。
【００３７】
図３に示すチャック付包装袋は、２つのノッチ（８，８）のいずれか一方のノッチ（８）から、表面フィルム（１）と裏面フィルム（２）とを切断して開封すると、表面フィルム（１）の切り取り線（６）の隆起部（６ｂ）と、裏面フィルム（２）の切り取り線（９）の隆起部（９ｂ）とは、位置がずれているので、チャック（１０）で再封した後、表面フィルム（１）の隆起部（６ｂ）に沿って切断された箇所、裏面フィルム（２）の隆起部（９ｂ）に沿って切断された箇所、それぞれは、左右の手の指で摘み易く、再開封が容易になる。
【００３８】
以上、図１及び図３に示すチャック付包装袋のように、表面フィルム（１）の切り取り線（６）の形状と、裏面フィルム（２）の切り取り線（９）の形状とが異なると、表面フィルム（１）の切り取り線（６）に沿って切断される形状と、裏面フィルム（２）の切り取り線（９）に沿って切断される形状とが異なるため、表面フィルム（１）の切り取り線（６）に沿って切断された箇所と、裏面フィルム（２）の切り取り線（９）に沿って切断された箇所、それぞれは、左右の手の指で摘み易く、再開封が容易になる。
【００３９】
図１及び図３に示すチャック付包装袋では、ノッチ（８）として五角ノッチを採用しているが、五角ノッチの代わりに、例えば、Ｖノッチ、Ｕノッチ、Ｉノッチなどを採用してもよい。
【００４０】
チャック（１０）は、低密度ポリエチレン樹脂（ＬＤＰＥ）、直鎖状低密度ポリエチレン樹脂（Ｌ−ＬＤＰＥ）、ポリプロピレン樹脂（ＰＰ）などからなるものを使用できる。低密度ポリエチレン樹脂（ＬＤＰＥ）、直鎖状低密度ポリエチレン樹脂（Ｌ−ＬＤＰＥ）などのポリエチレン樹脂は、ポリプロピレン樹脂（ＰＰ）と比較して、柔らかいので、雄型勘合部（１２）を雌型勘合部（１６）内へ嵌め込むこと、雄型勘合部（１２）を雌型勘合部（１６）から外すことが、柔らかく滑らかに行え、しかも、ポリプロピレン樹脂（ＰＰ）と比較して、低温でヒートシールできるので、チャック（１０）を取り付けた表面フィルム（１）及び裏面フィルム（２）に、しわやカールが発生しないので、好ましい。
【００４１】
シーラント層（１ａ，２ａ）を形成するフィルムとしては、例えば、低密度ポリエチレ
ン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（Ｌ−ＬＤＰＥ）、ポリプロピレン樹脂（ＰＰ）、エチレン−プロピレン共重合体（ＥＰ）、エチレン・α−オレフィン共重合体、エチレン−アクリル酸共重合体（ＥＡＡ）、エチレン−メタクリル酸共重合体（ＥＭＡＡ）、エチレン−メタクリル酸エステル共重合体、エチレン−アクリル酸エステル共重合体、アイオノマー樹脂、エチレン−酢酸ビニル共重合体（ＥＶＡ）などの熱可塑性樹脂からなるフィルムを使用することができるが、チャック（１０）と強固にヒートシールするためには、チャック（１０）と同じ樹脂を用いることが好ましい。
【００４２】
フィルム基材層（１ｂ，２ｂ）を形成するフィルムとしては、例えば、ポリエチレンテレフタレート（ＰＥＴ）、ポリエチレンナフタレ−ト（ＰＥＮ）、ポリブチレンテレフタレート（ＰＢＴ）などのポリエステル、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）などの無延伸あるいは延伸フィルムを用いることができる。
【００４３】
上述したように、表面フィルム（１）、又は、裏面フィルム（２）に切り取り線を一切形成しない場合に、直線状に切断するために、表面フィルム（１）のフィルム基材層（１ｂ）、又は、裏面フィルム（２）のフィルム基材層（２ｂ）に用いる直線引裂き性を有するフィルムとしては、例えば、二軸延伸ポリエチレンテレフタレートフィルム（ＯＰＥＴ）、二軸延伸ポリアミドフィルム（ＯＮ）からなるフィルムを使用することができる。
【実施例】
【００４４】
以下に、本発明の実施例を説明する。
【００４５】
＜実施例１＞
上述した図１に示すチャック付包装袋であって、表面フィルム（１）及び裏面フィルム（２）の大きさを、縦１５０ｍｍ、横１２０ｍｍとし、上部シール部（３）、側部シール部（４）、下部シール部（５）、それぞれのシール幅を５ｍｍとし、２つのノッチ（８，８）を、幅２ｍｍ、深さ２．５ｍｍの五角ノッチとし、上端縁部から２０ｍｍの位置に設け、チャック（１０）を、ポリエチレン樹脂からなるものとし、上端縁部から３０ｍｍの位置に設け、２つのノッチ（８，８）から水平に直線状に伸びる水平部（６ａ，６ｃ）の長さを４０ｍｍとし、隆起部（６ｂ）を、水平部（６ａ，６ｃ）から上部シール部（３）側に８ｍｍでチャック（１０）側に２ｍｍの高さ１０ｍｍ、幅９０ｍｍの曲線とし、水平部（６ａ，６ｃ）と隆起部（６ｂ）との最近接距離を２ｍｍとしたものを実施例１のチャック付包装袋とした。
【００４６】
実施例１のチャック付包装袋は、２つノッチ（８，８）のいずれからも、表面フィルム（１）は、切り取り線（６）に沿って、裏面フィルム（２）は、切り取り線（９）に沿って容易に切断できて、開封することができた。
【００４７】
開封後、チャック（１０）により再封した実施例１のチャック付包装袋は、表面フィルム（１）の隆起部（６ｂ）に沿って切断された箇所を、一方の手で、親指を内側に、人差し指を外側にして、親指と人差し指とで摘みながら、親指をチャック（１０）の方へ滑らせて、表面フィルム（１）と裏面フィルム（２）との間に入れて、表面フィルム（１）と裏面フィルム（２）との間に隙間を作り、他方の手で、この隙間に親指を入れて、親指と人差し指とで裏面フィルム（２）を摘むことで、一方の手の指で表面フィルム（１）を摘み、他方の手の指で裏面フィルム（２）を摘むことが容易にでき、そして、一方の手の指で表面フィルム（１）を摘み、他方の手の指で裏面フィルム（２）を摘んで、両側に引き離して、雄型勘合部（１２）を、雌型勘合部（１６）から外すことで、容易に再開封でき
た。
【００４８】
＜比較例１＞
切り取り線（６）を、水平に直線状に伸びて２つのノッチ（８，８）を結ぶものに変えたこと以外は、実施例１と同様にして、上述した図５に示す従来のチャック付包装袋を、比較例１のチャック付包装袋とした。
【００４９】
比較例１のチャック付包装袋は、２つノッチ（８，８）のいずれからも、表面フィルム（１）は、切り取り線（６）に沿って、裏面フィルム（２）は、切り取り線（９）に沿って容易に切断できて、開封することができた。
【００５０】
しかしながら、上述したように、表面フィルム（１）及び裏面フィルム（２）の切断された箇所の形状は略同一の直線状であるために、開封後、チャック（１０）により再封した比較例１のチャック付包装袋は、表面フィルム（１）、裏面フィルム（２）、それぞれの切断された箇所を、左右の手の指で摘み難いことがあり、それゆえ、再開封が困難になることがあった。
【００５１】
＜比較例２＞
表面フィルム（１）にも、裏面フィルム（２）にも、切り取り線を一切形成しないこと以外、実施例１と同様にして、上述した図４に示す従来のチャック付包装袋を、比較例２のチャック付包装袋とした。
【００５２】
比較例２のチャック付包装袋は、２つノッチ（８，８）のいずれからも、表面フィルム（１）及び裏面フィルム（２）を切断できて、開封することができたけれども、比較例１のチャック付包装袋と比較して、切断にやや力を要し、切断された箇所の形状がやや直線からずれたものになった。
【００５３】
また、上述したように、表面フィルム（１）及び裏面フィルム（２）の切断された箇所の形状は略同一の直線状であるために、開封後、チャック（１０）により再封した比較例２のチャック付包装袋は、表面フィルム（１）、裏面フィルム（２）、それぞれの切断された箇所を、左右の手の指で摘み難いことがあり、それゆえ、再開封が困難になることがあった。
【００５４】
＜比較例３＞
隆起部（６ｂ）と水平部（６ａ，６ｃ）とが連続し、切り取り線（９）を、２つのノッチ（８，８）から水平に直線状に伸びる水平部（９ａ，９ｃ）と、水平部（９ａ，９ｃ）から連続して上部シール部（３）へ隆起する隆起部（９ｂ）とからなるものにし、隆起部（９ｂ）と隆起部（９ｂ）とは、２つのノッチ（８，８）の間で、位置がずれていること以外、実施例１と同様にして、上述した図６に示す従来のチャック付包装袋を、比較例３のチャック付包装袋とした。
【００５５】
上述したように、比較例３のチャック付包装袋では、２つのノッチ（８，８）のいずれか一方のノッチ（８）から、表面フィルム（１）及び裏面フィルム（２）の切断を開始して、切断が、表面フィルム（１）の隆起部（６ｂ）が隆起を開始する箇所に達すると、切断が、チャック（１０）の方向に逸れて下降したり、同様に、切断が、裏面フィルム（２）の隆起部（９ｂ）が隆起を開始する箇所に達すると、切断が、チャック（１０）の方向に逸れて下降したりすることがあり、このように切断が下降すると、切断がチャック（１０）に達して止まり、２つのノッチ（８，８）のいずれか一方のノッチ（８）から、表面フィルム（１）と裏面フィルム（２）とを切断して開封することが困難になることがあった。
【００５６】
しかしながら、表面フィルム（１）の切り取り線（６）の隆起部（６ｂ）と、裏面フィルム（２）の切り取り線（９）の隆起部（９ｂ）とは、位置がずれているので、切り取り線（６）及び切り取り線（９）に沿って切断ができて開封できた場合、チャック（１０）により再封した比較例３のチャック付包装袋は、表面フィルム（１）の隆起部（６ｂ）に沿って切断された箇所、裏面フィルム（２）の隆起部（９ｂ）に沿って切断された箇所、それぞれは、左右の手の指で摘み易く、再開封が容易であった。
【００５７】
以上、実施例１及び比較例１〜３のチャック付包装袋の中では、実施例１のチャック付包装袋のみが、開封と再開封とが共に容易であった。
【符号の説明】
【００５８】
１…表面フィルム
１ａ…シーラント層
１ｂ…フィルム基材層
２…裏面フィルム
２ａ…シーラント層
２ｂ…フィルム基材層
３…上部シール部
４…側部シール部
５…下部シール部
６…切り取り線
６ａ…水平部
６ｂ…隆起部
６ｃ…水平部
８…ノッチ
９…切取線
９ａ…水平部
９ｂ…隆起部
９ｃ…水平部
１０…チャック
１１…雄テープ本体
１２…雄型勘合部
１５…雌テープ本体
１６…雌型勘合部
【図１】
0006597179.tif 000002
【図２】
0006597179.tif 000003
【図３】
0006597179.tif 000004
【図４】
0006597179.tif 000005
【図５】
0006597179.tif 000006
【図６】
0006597179.tif 000007